(57)【要約】 【課題】  ＬＣＤディスプレイに生じる周辺効果を低減する。【解決手段】  複数の列と複数の行のマトリクス形式で配列された複数の画素を有するディスプレイであって、各画素は、互いに交差して配置される第１、第２、第３と、第４サブピクセル形式の複数のサブピクセルを含み、第１、第２と、第３サブピクセル形式の各連続した第１、第２、第３サブピクセルは、それぞれ列の第１列に第１サブピクセルグループを形成し、同じ列にある第４形式の第４サブピクセルは、第２サブピクセルグループを形成し、各列では、最も右の行の前記サブピクセルは、最も左の行の前記サブピクセルと同じサブピクセル形式であり、且つサブピクセルの第２形式は、サブピクセルの第４形式と同じ行に位置するように配置されるディスプレイ。【選択図】      図３
2009069833.tif 000002
【特許請求の範囲】
【請求項１】
複数の列と複数の行のマトリクス形式で配列された複数の画素を有するディスプレイであって、前記各画素は、
互いに交差して配置される第１、第２、第３と、第４サブピクセル形式の複数のサブピクセルを含み、
前記第１、第２と、第３サブピクセル形式の各連続した第１、第２、第３サブピクセルは、それぞれ前記列の第１列に第１サブピクセルグループを形成し、同じ列にある前記第４形式の第４サブピクセルは、第２サブピクセルグループを形成し、
各列では、最も右の行の前記サブピクセルは、最も左の行の前記サブピクセルと同じサブピクセル形式であり、且つ
前記サブピクセルの第２形式は、前記サブピクセルの第４形式と同じ行に位置するように配置されるディスプレイ。
【請求項２】
連続した一つまたは複数の第１サブピクセルグループと第２サブピクセルグループからなる、完全なサブピクセルグループの一部でない一つまたは複数のサブピクセルは、実質的に黒色を表すように構成される請求項１に記載のディスプレイ。
【請求項３】
各列は、前記第１、第２、第３と、第４形式のサブピクセルからなる、少なくとも一つの連続した前記第１と第２サブピクセルグループを含む請求項１に記載のディスプレイ。
【請求項４】
連続した一つまたは複数の第１サブピクセルグループと第２サブピクセルグループからなる、完全なサブピクセルグループの一部でない一つまたは複数のサブピクセルは、前記列の始めか終わりのいずれかに位置される請求項１に記載のディスプレイ。
【請求項５】
第１電圧Ｖｂｌａｃｋは、前記完全なサブピクセルグループの一部でない前記サブピクセルにかけられ、前期第１電圧Ｖｂｌａｃｋは、前記完全なサブピクセルグループの一部でない前記サブピクセルを実質的に暗状態に設定するように配列される請求項２に記載のディスプレイ。
【請求項６】
前記複数のサブピクセルは、前記各サブピクセルに対応する開口を有するパターンを形成するフレームに位置され、且つ前記フレームが前記完全なサブピクセルグループの一部でない一つまたは複数の前記サブピクセルを覆う請求項２に記載のディスプレイ。
【請求項７】
連続した一つまたは複数の第１サブピクセルグループと第２サブピクセルグループからなる、完全なサブピクセルグループの一部でない一つまたは複数のサブピクセルは、前記ディスプレイの対応するアドレスラインから分離される請求項１に記載のディスプレイ。
【請求項８】
各偶数列では、前記最も左の行のサブピクセルは、前記ディスプレイの対応するアドレスラインから分離され、各奇数列では、前記最も右の行のサブピクセルは、前記ディスプレイのもう一つの対応するアドレスラインから分離される請求項１に記載のディスプレイ。
【請求項９】
各偶数列では、前記最も左の行のサブピクセルは、Ｖｂｌａｃｋ電圧がかけられ、各奇数列では、前記最も右の行のサブピクセルは、前記Ｖｂｌａｃｋ電圧がかけられる請求項１に記載のディスプレイ。
【請求項１０】
複数の行と列を有するマトリクスに配列された複数の開口を有するフレームを更に含み、前記一列おきの各最も左の開口、または各最も右の開口が覆われる請求項１に記載のディスプレイ。
【発明の詳細な説明】
【技術分野】
【０００１】
本発明は、液晶ディスプレイに関し、特に、画素が列と行で配列されてマトリクスを形成し、各画素が赤、緑、青と、白色サブピクセルが互いに交差して構成されることで緑色サブピクセルが白色サブピクセルと同じ行に位置し、最も左の行のサブピクセルが最も右の行のサブピクセルと互いに面する（ｍｉｒｒｏｒ）カラーマトリクスディスプレイ（例えば、ＬＣＤまたはＯＬＥＤ）に関するものである。
【背景技術】
【０００２】
ＬＣＤは、当技術分野でよく知られている。このようなＬＣＤディスプレイは一般的に複数の画素素子を含み、通常、マトリクス形成で配列される。各画素素子は、個別に制御されて発光、または遮光することができる。よって、各画素を選択的に制御して動画を作り出すことができる。
【０００３】
ＬＣＤディスプレイは、通常、堆積した層によって形成される。この層の中の一つは、液晶素子のアレイであり、対応する液晶素子に電圧をかけることで、特定の画素をアドレス指定し、配置された電極層で制御されることができる。電圧をかけることで、液晶分子の方向は、液晶素子が不透光状態、透光状態、または半透光状態にあるように制御されることができる。
【０００４】
液晶と電極は、通常、２つの偏光フィルターの間に配置される。堆積した層を通過する光は、各画素の液晶分子の方向（液晶にかけられる電圧によって決まる）と液晶分子の方向に対応する偏光フィルターの方向によって、遮蔽されるか、通過される。
【０００５】
一つの例に基づくと、偏光フィルターは、偏光方向が互いに垂直になるように配置される。液晶は、各層が隣接する偏光フィルターに平行した電極を有する２つの電極層の間に配置される。ある画素に電圧がかけられない場合、液晶分子は電極とそろえられ、よって、らせん状構造（ねじれ構造）に配置される。第１偏光フィルターを通過する光が液晶を通過する時、この光線は上述のらせん状（ｈｅｌｉｃａｌ）構造によって回転されるため、光を第２偏光フィルターに通過させる。
【０００６】
しかし、画素に電圧がかけられた場合、電気力線（ｅｌｅｃｔｒｉｃａｌ ｆｉｅｌｄｌｉｎｅ）が一つの電極層からもう一つの電極層に走るため、らせん状構造は、電気力線の干渉を受ける可能性がある。その結果、光が第２偏光フィルターによって遮蔽されるため、この画素を通過できる光がない。これは、‘ノーマリーナットブラック（ｎｏｒｍａｌｌｙｎｏｔ ｂｌａｃｋ）’のＬＣＤディスプレイＤＩとも言われる。
【０００７】
当然ながら実際には、上述の例と異なる実施例も可能である。例えば、偏光フィルターの方向を変えることで、‘ノーマリーブラック（ｎｏｒｍａｌｌｙｂｌａｃｋ）’のＬＣＤディスプレイＤＩ（即ち、電圧がかかっていない時に画素が実質的に黒い状態を表す液晶ディスプレイ）が生じる可能性がある。
【０００８】
また、垂直に交差した偏光フィルターの間に通過する光の方向（垂直に）で配列された液晶は、正常に通過する光を完全に消光（ｅｘｔｉｎｃｔｉｏｎ）する。この消光状態（ノーマリーブラックモード）は、高品質である。消光は、全波長で生じ、液晶層の厚さと複屈折に無関係である。
【０００９】
カラーＬＣＤディスプレイを作り出すために、各画素は、個別にアドレス指定可能なサブピクセルに分割され、各サブピクセルは、各自の液晶を有することができる。各画素は、ＲＧＢ配列に基づいて分割されることができる。即ち、当業者には明らかのように、各画素は赤、緑と、青色画素ピクセルに分割されることができる。前記色は、例えば、偏光層の間のどこかに個別のカラーフィルター層を加えることで配列に加えられる。カラーフィルター層は、隣接するカラーフィルターのマトリクスであることができる。
【００１０】
ＬＣＤディスプレイの性能を更に改善するために、各画素は、ＲＧＢＷ配列に基づいて分割される。各画素は、第１、第２、第３と、第４サブピクセルＳＰに分割され、第１、第２、第３と、第４サブピクセルは、それぞれ赤色サブピクセル、緑色サブピクセル、青色サブピクセルと、白色サブピクセルであることができる。
【００１１】
図１は、ＲＧＢＷ配列を有する従来のＬＣＤディスプレイＤＩのマトリクスレイアウトを表している。マトリクスレイアウトは、複数の列（図１に水平に表されている）と行（図１に垂直に表されている）を含む。各列は、複数の画素Ｐを有し、例えば、赤、緑、青と、白色サブピクセルＳＰのそれぞれ４つのサブピクセルＳＰを有する。白色サブピクセルの代わりに、例えば、黄色または青緑色などのその他の適当な色を選ぶこともできる。
【００１２】
カラースキームと規格によって、赤、緑、青と、白色サブピクセルＳＰの異なる配列が用いられることができる。図１の２つの垂直なダッシュ線に示されるように、最適な配列の一つは、偶数列の白色サブピクセルＳＰと奇数列の緑色サブピクセルＳＰが同じ行（奇数列の白色サブピクセルＳＰと偶数列の緑色サブピクセルＳＰが同じ行）にあることである。
【００１３】
図１では、奇数列は、単一の完全な画素Ｐで構成されるように配列されている（この場合、白色サブピクセルＷで終わる）。緑色と白色サブピクセルの最適な配列が同じ行にあることから、偶数列は、緑色サブピクセルＧで終わる不完全な画素Ｐを含む。
【００１４】
図１に表される配列は、使用者が見た時に、好ましい画像を生じることができる。しかし、図１のＲＧＢＷ配列を有するＬＣＤディスプレイは、ディスプレイの端、または縁に沿って色彩効果を起こすことが見いだされている。このような効果は、通常、周辺効果（ｂｏｒｄｅｒｅｆｆｅｃｔｓ）と言われる。よって、本発明の目的は、このようなＬＣＤディスプレイに生じる周辺効果を低減することにある。
【発明の開示】
【発明が解決しようとする課題】
【００１５】
ＬＣＤディスプレイに生じる周辺効果を低減する。
【課題を解決するための手段】
【００１６】
複数の列と複数の行のマトリクス形式で配列された複数の画素を有する液晶ディスプレイが提供される。各画素は、第１、第２、第３と、第４サブピクセル形式の複数のサブピクセルをそれぞれ有し、赤、緑、青と、白（ＲＧＢＷ）色に対応して互いに交差して配置される。第１、第２と、第３サブピクセル形式の各連続した第１、第２、第３サブピクセルは、それぞれ複数列の第１列に第１サブピクセルグループを形成し、同じ列にある第４形式の第４サブピクセルは、第２サブピクセルグループを形成する。サブピクセルは、第２形式のサブピクセルと第４形式のサブピクセルが同じ行に位置するように配置されている。各列では、最も右の行のサブピクセルは、その列の最も左の行のサブピクセルと同じサブピクセル形式である。このようなディスプレイ配置は、起こりえる周辺効果を低減することが見いだされている。
【００１７】
連続した一つまたは複数の第１サブピクセルグループと第２サブピクセルグループからなる完全なサブピクセルグループの一部でないサブピクセルを有するディスプレイが提供される。このようなサブピクセルは、実質的に黒色を表すように構成されているため、周辺効果を低減する。
【００１８】
提供されたディスプレイに基づくと、各列は、第１、第２、第３と、第４形式のサブピクセルからなる、少なくとも一つの連続した第１と第２サブピクセルグループを有する。
【００１９】
提供されたディスプレイに基づくと、完全なサブピクセルグループの一部でないサブピクセルは、各列の始めか終わりのいずれかに位置される。
【００２０】
提供されたディスプレイに基づくと、第１サブピクセルは赤色サブピクセル、第２サブピクセルは緑色サブピクセル、第３サブピクセルは青色サブピクセルと、第４サブピクセルは白色サブピクセル、または例えば黄色、または青緑色などのその他の任意の適当な色であることができる。理解できるように、サブピクセルのその他の適当な色が選ばれることもできる。
【００２１】
提供されたディスプレイに基づくと、第１電圧Ｖｂｌａｃｋは、完全なサブピクセルグループの一部でないサブピクセルにかけられ、第１電圧Ｖｂｌａｃｋは、完全なサブピクセルグループの一部でないサブピクセルを実質的に暗状態に設定するように配列され、周辺効果を減少する。
【００２２】
提供されたディスプレイに基づくと、第１電圧Ｖｂｌａｃｋは、実質的にゼロである。
【００２３】
提供されたディスプレイに基づくと、サブピクセルは、各サブピクセルに対応する開口を有するパターンを形成するフレームに位置され、且つフレームが完全なサブピクセルグループの一部でないサブピクセルを覆う。
【００２４】
提供されたディスプレイに基づくと、フレームは、実質的に黒色である。
【００２５】
更なる態様に基づくと、ディスプレイに用いられるフレームが提供される。フレームはマトリクスに配列された複数の開口を有し、マトリクスは複数の行と列に配列されたディスプレイの複数のサブピクセルに対応するパターンを有し、一列おきの複数の列に対応したマスクの各最も左の開口が覆われる。
【００２６】
提供されたフレームに基づくと、上述の一列おきの間の各列に対応したマスクの各最も右の開口が覆われる。
【００２７】
提供されたフレームに基づくと、開口は実質的に長方形である。
【００２８】
更なる態様に基づくと、複数の列と複数の行のマトリクス形式で配列された複数の画素を有するディスプレイパネルを有するディスプレイシステムが提供され、発光ユニットがディスプレイパネルに向ける光源を発生するように構成され、各画素は、第１、第２、第３と、第４サブピクセル形式の複数のサブピクセルを更に含み、互いに交差して配置される。第１、第２と、第３形式の各連続した第１、第２、第３サブピクセルは、それぞれ複数列の第１列に第１サブピクセルグループを形成し、同じ列にある第４形式の第４サブピクセルは、第２サブピクセルグループを形成する。特に、各列では、最も右の行のサブピクセルは、最も左の行のサブピクセルと同じサブピクセル形式であり、第２形式のサブピクセルは、第４形式のサブピクセルと同じ行に位置するように配置されている。
【００２９】
提供されたディスプレイの更なる態様に基づくと、フレームがディスプレイシステムに加えられる。フレームは、マトリクスに配列された複数の開口を有するマスクを有する。特に、マトリクスは、複数の行と列に配列されたディスプレイの複数のサブピクセルに対応したパターンを有し、一列おきに対応したマスクの各最も左の開口が覆われ、一列おきの間の各列に対応したマスクの各最も右の開口も覆われる。
【００３０】
提供されたディスプレイシステムに基づくと、電源と表示制御器は、データ信号を表示パネルに提供して画像を表示するように構成される。
【発明の効果】
【００３１】
本発明の液晶ディスプレイは、画素が列と行で配列されてマトリクスを形成し、各画素が赤、緑、青と、白色サブピクセルが互いに交差して構成されることで緑色サブピクセルが白色サブピクセルと同じ行に位置し、最も左の行のサブピクセルが最も右の行のサブピクセルと互いに面する（ｍｉｒｒｏｒ）カラーマトリクスディスプレイ（例えば、ＬＣＤまたはＯＬＥＤ）の配置であるため、周辺効果を低減することができる。
【発明を実施するための最良の形態】
【００３２】
本発明についての目的、特徴、長所が一層明確に理解されるよう、以下に実施形態を例示し、図面を参照にしながら、詳細に説明する。
【００３３】
ＬＣＤディスプレイに起こりえる周辺効果を低減する実施例が説明される。
【００３４】
まず、図１に表されるように、従来のＬＣＤディスプレイＤＩは、ＬＣＤディスプレイＤＩの回路レイアウトが概略的に表されている図２でより詳細に説明される。赤、緑、青と、白色サブピクセルＳＰは、それぞれ符号Ｒ、Ｇ、Ｂと、Ｗで示される。
【００３５】
上述のように、単一のサブピクセルＳＰを制御するために、行電極ＣＥと列電極ＲＥのネットワークが提供される。図２に表されるように、行電極ＣＥは、垂直に走り、列電極ＲＥは、水平に走る。行電極ＣＥと列電極ＲＥに電圧をかけることで、交差箇所のサブピクセルＳＰがアドレス指定される。このアドレス指定方法を最適化するために、各サブピクセルＳＰにスイッチとして機能するトランジスタＴが提供される。また、トランジスタＴは、連続的なアドレス指定の操作期間に生じる可能性のある漏洩電流を防止する。トランジスタＴは、通常、薄膜トランジスタ（ＴＦＴ）によって形成され、各トランジスタＴは、コンデンサと一緒に設置され、操作期間に生じる可能性のある漏洩電流を補償することができる。
【００３６】
図２は、各サブピクセルＳＰの２つの対応する電極Ｅを更に表しており、液晶を通過する電場が生じるコンデンサを両電極Ｅの間に形成する。しかし、ＲＧＢＷ配列を有するＬＣＤディスプレイＤＩは、それでも周辺効果を生じる。
【００３７】
また、ＲＧＢＷサブピクセルのアドレス指定を行っている時、ＲＧＢサブピクセルは、サブピクセルの第１グループを形成し、Ｗサブピクセルは、サブピクセルの第２グループを形成することができる。このようなグループの形成は、従来のＲＧＢピクセルの配列に比べ、輝度が高い利点がある。サブピクセルレンダリングを用いたＲＧＢＷディスプレイで見られる解像度は、表示される画像によって決まる。
【００３８】
よって、図１に表されるように第２（または第４、第６など）列の最も左の青色サブピクセルＳＰは、不完全なサブピクセルの第１グループを形成する。また、図１に表されるように第２（または第４、第６など）列の最も右の赤色と緑色サブピクセルＳＰは、不完全なサブピクセルの第１グループを形成する。青色サブピクセルを駆動する適当なデータがないことから、第１行のアドレス指定に異常をきたす。また、偶数列に表示される最後の画素の色は、青色サブピクセルがないことから問題のある色を表示する。これは画像の品質の劣化となる可能性がある。また、不規則なデータが用いられた場合、不規則な色が発生する可能性がある。
【００３９】
上述のように、周辺効果を低減または最小限に抑えるために、後述の実施例を更に提供する。
【実施例１】
【００４０】
図３は、第１実施例に基づいたＬＣＤディスプレイのレイアウトを概略的に表している。図３では、前の図で表された同じ符号で前の図と同じまたは類似の素子を表している。
【００４１】
第１実施例に基づくと、サブピクセルを有する一つまたは複数の追加の行が提供されたディスプレイに加えられることで、偶数列の右側にある第１グループのサブピクセル（Ｒ、Ｇ、Ｂ）が完成される。
【００４２】
図１の配列に比べ、図３に表されるディスプレイは、最も右の行の各偶数列に、完全なサブピクセルの第１グループの青色サブピクセルＢを有する（図３の四角形の点線で図示された箇所を参照下さい）。また、最も右の行の奇数列では、完全でない赤色サブピクセルＲを有する。各列では、最も右の行のサブピクセルは、その列の最も左の行のサブピクセルと同じ色、または同じサブピクセル形式である。
【００４３】
図１に表されるような偶数列の不完全なサブピクセルの第１グループとは異なり、サブピクセルの第１グループは、図３に表されるように奇数列にある。しかし、図３の奇数列の単一のサブピクセルによって生じた周辺効果は、図１の２つのサブピクセルを有する不完全なサブピクセルグループによって生じた周辺効果より小さい。また、偶数列に既に完全な赤色、緑色と、青色サブピクセルの第１グループがあることから、偶数列で使用者はディスプレイの右側で大きく改善された画像を見ることができる。
【実施例２】
【００４４】
実施例２に基づくと、不完全なサブピクセルグループの一部でない不完全なサブピクセルＳＰは、黒レベルの電圧Ｖｂｌａｃｋを用いることで駆動され、これらの不完全なサブピクセルＳＰが常に暗（不透光または非透光）状態になる。これらのサブピクセルは、図２に見られるように通常、列の始め、または終わりに位置される。当然ながら、この実施例は、図１に表される画素配列のディスプレイの左側に用いられることもできる。
【００４５】
この実施例に基づくと、不完全なサブピクセルは、対応するゲートラインがアドレス指定された時（またはトランジスタがオンにされた時）、電圧Ｖｂｌａｃｋを用いることで駆動される。図３を参照下さい。より具体的には、不完全なサブピクセル（即ち、偶数列の最も左の行の青色サブピクセルと、奇数列の最も右の行の赤色サブピクセル）は、その他のサブピクセルと同じ方法で駆動されることができるため、標準のディスプレイドライバが用いられることができ、標準の駆動方式が用いられることができる。
【００４６】
この実施例は‘ノーマリーホワイト（ｎｏｒｍａｌｌｙ ｗｈｉｔｅ）’のＬＣＤディスプレイと‘ノーマリーブラック’のＬＣＤディスプレイの両方に用いることもできる。
【実施例３】
【００４７】
もう一つの実施例に基づくと、不完全なサブピクセルグループの一部でない不完全なサブピクセルＳＰは、アドレス指定を用いて区分される。これらのサブピクセルは、通常、列の始め、または終わりに位置される。
【００４８】
この実施例は、特定のマスクと第１電圧Ｖｂｌａｃｋを必要とすることなく、未使用のサブピクセルを実質的に暗状態にする。この実施例に基づくと、小幅な変化のアドレス指定により、特定のサブピクセルを容易に区分し、遮蔽することができる。
【００４９】
この実施例は、図４に概略的に表され、区分された電極Ｅ（即ち、偶数列の最も左の行の青色サブピクセルと、奇数列の最も右の行の赤色サブピクセル）が表されている。この実施例は、いわゆる‘ノーマリーブラック’のＬＣＤディスプレイＤＩに適用する。即ち、電圧がかけられない時に、ＬＣＤディスプレイＤＩの画素、またはサブピクセルが実質的に暗状態になる。
【実施例４】
【００５０】
ＬＣＤディスプレイのサブピクセルＳＰは、通常、フレームＦＲに位置される。図５ａに概略的に示されるように、フレームＦＲは、開口を有するパターンを形成し、各開口は、サブピクセルＳＰに対応する。例えば、フレームは、長方形または正方形の開口のパターンを有することができる。フレームは実質的に黒色である。
【００５１】
この実施例に基づくと、交差配列のフレームＳＦが提供され、完全なサブピクセルグループの一部でないサブピクセルＳＰを覆う。これらのサブピクセルＳＰは、通常、列の始め、または終わりに位置される。よって、列の始めと終わりのサブピクセルＳＰに対応した、完全なサブピクセルグループの一部でない開口が省略される。
【００５２】
５ｂは、交互配列のフレームＳＦを有する図３のＬＣＤディスプレイを概略的に表しており、偶数列の左側と奇数列の右側（図示されていない）の不完全なサブピクセルグループを覆う。図５ｃは、上述の実施例１に示されたディスプレイに用いられることができる交互配列のフレームＳＦを表している。
【００５３】
この実施例に基づくと、マトリクスに配列された複数の開口を有するフレームが提供される。マトリクスは、複数の列を含み、一列おきの各第１開口は、覆われるか、密閉される。また、一列おきの間の各列の各最後の開口も覆われるか密閉されることができる。
【００５４】
この実施例に基づくと、サブピクセルＳＰのアドレス指定を調節する必要がない。よって、第１行電極ＣＥ（と最後の行電極ＣＥ）の電荷は、その他の行電極ＣＥと等しい。よって、この解決方法は、その他の調整を必要とすることがない。また、この実施例は、特に大視野角で漏光を最小限に抑えることができる。
【００５５】
理解できることは、この実施例は、上述のようにその他の実施例と合わせて用いられることができる。
【００５６】
上述の実施例は、例えば、ＲＧＢ配列のディスプレイ技術の代わりにＲＧＢＷ配列を用いる携帯電話ディスプレイ、電気通信と、ＰＤＡなどの多くの技術領域で用いられることができる。また、近い将来、テレビ視聴可能携帯電話装置（ＴＶ−ｏｎ−Ｍｏｂｉｌｅｄｅｖｉｃｅｓ）がＲＧＢＷ配列を実装することを目指している。
【００５７】
理解できることは、図４、５ａと、５ｃに対応して記述された実施例２、３と、４は、例えば図１と図３に示された任意のサブピクセル配列のディスプレイに用いられることができる。提案された実施例は、完全なサブピクセルグループの一部でないサブピクセルを実質的に黒色に表すのに用いられることができる。提案された実施例では、図３に示されるように発光ユニットがディスプレイに向ける光源を発生するように構成されることができる。
【００５８】
また、実施例と図で用いた‘偶数’と‘奇数’などの名称は、その他類似の名称で代用することもできる。
【００５９】
よって、実施例に基づくと、上述の実施例に基づいたＬＣＤディスプレイとフレームを含むシステムが提供される。図６を参照下さい。画像６０を表示するシステムは、デジタルカメラ、携帯型ＤＶＤ、テレビ、カーディスプレイ、ＰＤＡ、ノート型コンピュータ、タブレットコンピュータ、携帯電話、電子手帳、グローバルポジショニングシステム（ＧＰＳ）、自動表示器（ａｕｔｏｍａｔｉｃｄｉｓｐｌａｙ）、航空電子工学用ディスプレイ（ａｖｉｏｎｉｃｓ ｄｉｓｐｌａｙ）、電気通信、デジタルフォトフレーム、または表示装置などであることができる。
【００６０】
一般的に、画像６０を表示するシステムは、ディスプレイパネル１０、ハウジング６１と、電源と表示制御器を含む制御器６２を含むがその他の各種の素子が含まれることもできる。しかし、その他の素子は、図と説明を簡易化するために個々では表示または説明されない。操作では、制御器は、ディスプレイパネル１０に動作可能に接続され、例えばクロック信号、スタートパルス、または画像データなどの制御信号を表示パネル１０に提供する。
【００６１】
理解できるように上述の実施例は、ＬＣＤディスプレイＤＩを参照に説明される。しかし、上述の実施例は、類似のサブピクセル配列を有する、その他のタイプのディスプレイ、例えばＬＥＤ（発光ダイオード）ディスプレイとＯＬＥＤ（有機発光ダイオード）ディスプレイなどに用いられることもできる。
【００６２】
上述の説明のように、白色サブピクセルの代わりに、例えば黄色、または青緑色などのその他の適当な色を選ぶこともできる。
【００６３】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００６４】
【図１】従来技術に基づいたＬＣＤディスプレイを概略的に表している。
【図２】図１に基づいたＬＣＤディスプレイの電極レイアウトを概略的に表している。
【図３】一つの実施例に基づいたＬＣＤディスプレイのレイアウトを概略的に表している。
【図４】もう一つの実施例に基づいたＬＣＤディスプレイの電極レイアウトを概略的に表している。
【図５ａ】従来技術に基づいたＬＣＤディスプレイを概略的に表している。
【図５ｂ】もう一つの実施例に基づいたＬＣＤディスプレイを概略的に表している。
【図５ｃ】図５ｂに基づいたフレームを概略的に表している。
【図６】システムの実施例を概略的に表している。
【符号の説明】
【００６５】
Ｐ  画素
ＳＰ  サブピクセル
Ｒ  赤色サブピクセル
Ｇ  緑色サブピクセル
Ｂ  青色サブピクセル  
Ｗ  白色サブピクセル
ＣＥ  行電極
ＲＥ  列電極
Ｔ  トランジスタ
Ｅ  電極
ＦＲ  フレーム
ＬＵ  発光ユニット
ＤＩ〜ＬＣＤ  ディスプレイ
ＳＦ  フレーム
１０  ディスプレイパネル
６０  画像
６１  ハウジング
６２  制御器
【図１】
2009069833.tif 000003
【図２】
2009069833.tif 000004
【図３】
2009069833.tif 000005
【図４】
2009069833.tif 000006
【図５ａ】
2009069833.tif 000007
【図５ｂ】
2009069833.tif 000008
【図５ｃ】
2009069833.tif 000009
【図６】
2009069833.tif 000010